(57)【要約】【課題】燃料電池における温度分布を均一化して、発電効率を向上させることができる燃料電池モジュールを提供する。【解決手段】燃料ガス及び酸化剤ガスが供給されて発電する燃料電池をそれぞれ有する第１発電部１０と複数の第２発電部２０とを備え、複数の第２発電部２０は、第１発電部１０を囲うように配設されている燃料電池モジュール１。【選択図】図１
2008293689.tif 000002
【特許請求の範囲】
【請求項１】
燃料ガス及び酸化剤ガスが供給されて発電する燃料電池をそれぞれ有する第１発電部と複数の第２発電部とを備え、
前記複数の第２発電部は、前記第１発電部を囲うように配設されている燃料電池モジュール。
【請求項２】
前記第１発電部は、発電反応に用いられなかった残余の燃料ガスおよび酸化剤ガスを外周部から外部に放出するシールレス構造である請求項１に記載の燃料電池モジュール。
【請求項３】
前記第２発電部が有する燃料電池は、前記第１発電部から放出された残余の燃料ガスおよび酸化剤ガスの混合ガスが供給されることにより発電する単室型燃料電池である請求項２に記載の燃料電池モジュール。
【請求項４】
前記第１発電部が有する燃料電池は、第１電解質層、第１燃料極層及び第１空気極層を備える第１発電セルが複数積層され、前記第１発電セルのそれぞれにおいて発電反応により発生した電流が、前記第１発電セルの積層方向に直列に流れるように構成されており、
前記第２発電部が有する燃料電池は、第２電解質層、第２燃料極層及び第２空気極層を備える第２発電セルが複数積層され、前記第２発電セルのそれぞれにおいて発電反応により発生した電流が、前記第２発電セルの積層方向に直列に流れるように構成されており、
前記第２発電セルの積層方向が、前記第１発電セルの積層方向と同一となるように構成されている請求項１から３のいずれかに記載の燃料電池モジュール。
【請求項５】
前記第１発電部が有する燃料電池は、第１電解質層、第１燃料極層及び第１空気極層を備える第１発電セルを備えており、
前記第２発電部が有する燃料電池は、第２電解質層、第２燃料極層及び第２空気極層を備える第２発電セルを備えており、
複数の前記第２発電部がそれぞれ有する前記第２発電セルにおいて発電反応により発生した電流が、前記第１発電セルの周方向に沿って流れるように、複数の前記第２発電部がそれぞれ有する前記第２発電セルは、電気的に直列に接続されている請求項１から３のいずれかに記載の燃料電池モジュール。
【請求項６】
前記第１発電部又は前記第２発電部の少なくともいずれか一方が有する燃料電池は、固体酸化物形燃料電池である請求項１から５のいずれかに記載の燃料電池モジュール。
【発明の詳細な説明】
【技術分野】
【０００１】
本発明は、燃料電池モジュールに関する。
【背景技術】
【０００２】
近年、地球規模で環境問題、エネルギー問題が大きな課題となっているが、その解決に貢献しうる有力な発電装置として、燃料電池が注目されている。燃料電池は、それを構成する電解質の種類により、固体酸化物形、リン酸形、溶融炭酸塩形、高分子電解質形などに分類される。固体酸化物形燃料電池を例にとり、その構造を説明すると、酸化物イオン導電体から成る固体電解質層を両側から空気極層（カソード）と燃料極層（アノード）で挟み込んだ発電セルを、セパレータを介して複数積層してスタック化した積層構造を有する。
【０００３】
発電時においては、空気極層側に酸化剤ガス（酸素）が供給され、燃料極層側に燃料ガス（Ｈ２、ＣＯ、ＣＨ４等）が供給される。空気極層及び燃料極層は、供給された酸化剤ガス及び燃料ガスがそれぞれ固体電解質層との界面に到達することができるよう、何れも多孔質の層とされている。
【０００４】
空気極層側に供給された酸素は、空気極層内の気孔を通って固体電解質層との界面近傍に到達し、この部分で空気極層から電子を受け取って酸化物イオン（Ｏ２−）にイオン化される。この酸化物イオンは、燃料極層に向かって固体電解質層内を拡散移動し、燃料極層との界面近傍に到達した酸化物イオンはこの部分で燃料ガスと反応して反応生成物（Ｈ２Ｏ、ＣＯ２等）を生じ、燃料極層に電子を放出する。電極反応で生じた電子は、別ルートの外部負荷にて起電力として取り出すことができる。
【０００５】
ところで、このような積層構造を有する固体酸化物形燃料電池においては、スタックの積層方向中断部のセル温度がスタック端部のセル温度に比べて高くなる傾向がある。これは、積層構造であるが故、燃料電池スタックの中断部が両端部に比べて発電時のジュール熱がセル外に放出しにくくなっていることに起因する。
【０００６】
スタックの積層方向に温度差が生じると高温部においては流通ガスの濃度が低下し、各発電セルへの酸化剤ガスおよび燃料ガスの等流配が崩れるため、セル電圧の不均一が生じることになる。このようなセル電圧の不均一が生じると、  燃料電池のトータル出力が一部の低電圧セルにより制限されることになり、効率的な発電が行えないという問題を有していた。
【０００７】
なお、上述したような温度分布の不均一がスタック内において生じるという問題は、固体酸化物形燃料電池に限らず、発電セルを複数積層して構成されるリン酸形、溶融炭酸塩形、高分子電解質形の各燃料電池においても生じうる問題である。
【０００８】
このようなスタック中の温度分布の不均一を解消しようとする燃料電池として、例えば、図４に示すように、各セパレータ１０１にフィン状の放熱部１０２を設けて、放熱量を制御するようにした燃料電池１００が知られている（例えば、特許文献１等）。
【特許文献１】特開２００４−２７３１４０号公報
【発明の開示】
【発明が解決しようとする課題】
【０００９】
しかしながら、特許文献１等に開示されているような燃料電池においては、スタック中の温度分布が均一になるようにフィン状の放熱部の大きさを設定することが煩雑であり、スタック中の温度分布を容易に均一化することが困難であるという問題があった。
【００１０】
本発明は、このような問題を解決するためになされたものであって、燃料電池における温度分布を均一化して、発電効率を向上させることができる燃料電池モジュールを提供することを目的とする。
【課題を解決するための手段】
【００１１】
本発明の上記目的は、燃料ガス及び酸化剤ガスが供給されて発電する燃料電池をそれぞれ有する第１発電部と複数の第２発電部とを備え、前記複数の第２発電部は、前記第１発電部を囲うように配設されている燃料電池モジュールにより達成される。
【００１２】
また、この燃料電池モジュールにおいて、前記第１発電部は、発電反応に用いられなかった残余の燃料ガスおよび酸化剤ガスを外周部から外部に放出するシールレス構造であることが好ましい。
【００１３】
また、前記第２発電部が有する燃料電池は、前記第１発電部から放出された残余の燃料ガスおよび酸化剤ガスの混合ガスが供給されることにより発電する単室型燃料電池であることが好ましい。
【００１４】
また、前記第１発電部が有する燃料電池は、第１電解質層、第１燃料極層及び第１空気極層を備える第１発電セルが複数積層され、前記第１発電セルのそれぞれにおいて発電反応により発生した電流が、前記第１発電セルの積層方向に直列に流れるように構成されており、前記第２発電部が有する燃料電池は、第２電解質層、第２燃料極層及び第２空気極層を備える第２発電セルが複数積層され、前記第２発電セルのそれぞれにおいて発電反応により発生した電流が、前記第２発電セルの積層方向に直列に流れるように構成されており、前記第２発電セルの積層方向が、前記第１発電セルの積層方向と同一となるように構成されていることが好ましい。
【００１５】
また、前記第１発電部が有する燃料電池は、第１電解質層、第１燃料極層及び第１空気極層を備える第１発電セルを備えており、前記第２発電部が有する燃料電池は、第２電解質層、第２燃料極層及び第２空気極層を備える第２発電セルを備えており、複数の前記第２発電部がそれぞれ有する前記第２発電セルにおいて発電反応により発生した電流が、前記第１発電セルの周方向に沿って流れるように、複数の前記第２発電部がそれぞれ有する前記第２発電セルは電気的に直列に接続されていることが好ましい。
【００１６】
また、前記第１発電部又は前記第２発電部の少なくともいずれか一方が有する燃料電池は、固体酸化物形燃料電池であることが好ましい。
【発明の効果】
【００１７】
本発明によれば、燃料電池における温度分布を均一化して、発電効率を向上させることができる燃料電池モジュールを提供することができる。
【発明を実施するための最良の形態】
【００１８】
以下、本発明に係る燃料電池モジュールについて添付図面を参照して説明する。図１は、本発明の一実施形態に係る燃料電池モジュールの概略構成を示す平面図であり、図２は、図１のＡ−Ａ断面における概略構成断面図である。
【００１９】
図１及び図２に示すように、本発明に係る燃料電池モジュール１は、燃料ガス及び酸化剤ガスが供給されて発電する燃料電池をそれぞれ有する、第１発電部１０と複数の第２発電部２０とを備えている。複数の第２発電部２０は、第１発電部１０の周囲を囲うように配設されている。第１発電部１０及び第２発電部２０がそれぞれ有する燃料電池として、固体酸化物形、リン酸形、溶融炭酸塩形、高分子電解質形等の種々の燃料電池を採用することが可能であるが、特に、スタック配置の柔軟性や発熱量の観点から固体酸化物形の燃料電池を採用することが好ましいので、第１発電部１０及び第２発電部２０が有する燃料電池として固体酸化物形燃料電池を採用する場合を例にとり、以下説明する。
【００２０】
第１発電部１０が有する燃料電池は、いわゆる２室型の燃料電池であり、薄膜状の第１燃料極層１２、第１固体電解質層１３および第１空気極層１４がこの順で積層された平面視矩形状の第１発電セル１１を複数有している。この第１発電部１０が有する燃料電池は、第１発電セル１１が第１セパレータ１５を介して複数個積層されるスタック構造を有しており、第１発電セル１１のそれぞれにおいて発電反応により発生した電流が、第１発電セルの積層方向に直列的に流れるように構成されている。
【００２１】
第１セパレータ１５は、第１発電セル１１と同様に平面視矩形状の薄膜状に形成され、上下に隣接する第１発電セル１１の第１空気極層１４と第１燃料極層１２とを電気的に接続するように配置されている。また、この第１セパレータ１５は、第１発電セル１１の第１空気極層１４に酸化剤ガス（酸素）を供給し、第１燃料極層１２に燃料ガス（Ｈ２、ＣＯ、ＣＨ４等）を供給する機能を有している。例えば、第１セパレータ１５の一方面（第１空気極層１４との接合面）に酸化剤ガスが通過可能な流路を形成すると共に、他方面（第１燃料極層１２との接合面）に燃料ガスが通過可能な流路を形成することにより第１セパレータ１５を構成する。
【００２２】
第１燃料極層１２及び第１空気極層１４は、第１セパレータ１５を介して供給された燃料ガス及び酸化剤ガスがそれぞれ第１固体電解質層１３との界面に到達することができるよう、いずれも多孔質の層となるように形成されている。
【００２３】
また、この第１発電部１０においては、各第１発電セル１１の外周部にガス漏れ防止用のシール部材を敢えて設けないことにより、発電時に、第１セパレータ１５を介して第１発電セル１１に供給される燃料ガス及び酸化剤ガスの内、発電反応に消費されなかった残余の燃料ガス及び酸化剤ガスを、第１発電部１０の外周部から外部に放出できるようなシールレス構造を採用している。
【００２４】
次に、上記第１発電セル１１を構成する材料について説明する。第１固体電解質層１３を形成する材料としては、例えば、固体酸化物形燃料電池用の電解質材料として広く知られている酸化ジルコニウム、酸化セリウム及び酸化ランタンから選ばれる少なくとも一つを含む複合金属酸化物粒子を使用できる。このような粒子の具体例としては、ＹＳＺ、ＳｃＳＺ、ＳＤＣ、ＧＤＣ、ランタン・ガレード等からなる粒子が挙げられる。また、上記粒子は、酸化物イオン伝導性の観点から、蛍石型又はペロブスカイト型の結晶構造を有することが好ましい。
【００２５】
第１燃料極層１２を形成する材料としては、例えば、セラミックス粉末材料等の酸化物イオン伝導体と金属触媒とを含む混合物を用いることができる。酸化物イオン伝導体としては、蛍石型又はペロブスカイト型の結晶構造を有するものを好ましく用いることができる。蛍石型の結晶構造を有するものとしては、例えばＳＤＣ、ＧＤＣ、ＳｃＳＺ、ＹＳＺ等を挙げることができる。また、ペロブスカイト型の結晶構造を有するものとしては、ストロンチウムやマグネシウムをドープしたランタン・ガレード系酸化物等を挙げることができる。金属触媒を構成する金属としては、還元性雰囲気中で安定であり、かつ、水素酸化活性を有する材料を用いることができ、例えば、ニッケル、鉄、コバルト等や、貴金属（白金、ルテニウム、パラジウム等）等が使用できる。上記金属の中では、水素酸化の活性が高いニッケルが好ましい。また、ニッケルは、メタン等の燃料ガスの改質性能が他の金属に比べて高い上、過電圧（抵抗）が他の金属に比べて小さい。よって、酸化物イオン伝導体粒子と酸化ニッケル粒子との混合物で第１燃料極層１２を形成することが好ましい。なお、酸化物イオン伝導体粒子と酸化ニッケル粒子との混合物は、両者を単に混ぜ合わせただけのものであってもよいし、酸化物イオン伝導体粒子を酸化ニッケル粒子へ修飾させたものであってもよい。また、上述した酸化物イオン伝導体粒子は、１種類を単独で使用してもよいし、２種類以上を混合して使用してもよい。また、第１燃料極層１２を形成する材料として、金属触媒を単体で用いることもできる。
【００２６】
第１空気極層１４を形成する材料としては、例えば、ペロブスカイト型の結晶構造を有する金属酸化物粒子を用いることができる。具体的には（Ｓｍ，Ｓｒ）ＣｏＯ３、（Ｌａ，Ｓｒ）ＭｎＯ３、（Ｌａ，Ｓｒ）ＣｏＯ３、（Ｌａ，Ｓｒ）（Ｆｅ，Ｃｏ）Ｏ３、（Ｌａ，Ｓｒ）（Ｆｅ，Ｃｏ，Ｎｉ）Ｏ３等からなる金属酸化物粒子が挙げられ、酸化性雰囲気下の安定性の観点から（Ｌａ，Ｓｒ）ＭｎＯ3からなる粒子を使用することが好ましい。上述した金属酸化物粒子は、１種類を単独で使用してもよいし、２種類以上を混合して使用してもよい。また、第１空気極層１４を形成する材料として、白金、ルテニウム、パラジウム等の貴金属を使用することもできる。
【００２７】
第１セパレータ１５を形成する材料としては、例えば、白金、金、銀、ニッケル、銅、ＳＵＳ等の導電性金属、或いは金属系材料，又はＬａ（Ｃｒ，Ｍｇ）Ｏ３、（Ｌａ，Ｃａ）ＣｒＯ３、（Ｌａ，Ｓｒ）ＣｒＯ３などのランタン・クロマイト系等の導電性セラミックス材料を用いることができる。これらのうちの１種を単独で使用してもよいし、２種以上を混合して使用してもよい。
【００２８】
次に、各第２発電部２０が有する燃料電池の構成について説明する。この第２発電部２０は、第１発電部１０と同様に複数の第２発電セル２１を積層したスタック構造を有しており、第２発電セル２１のそれぞれにおいて発電反応により発生した電流が、第２発電セル２１の積層方向に直列的に流れるように構成されている。この第２発電部２０における第２発電セル２１の積層方向は、第１発電部１０における第１発電セル１１の積層方向と同一方向となるように構成されている。また、各第２発電部２０における第２発電セル２１の積層方向の高さは、第１発電部１０における第１発電セル１１の積層方向の高さと略同一となるように構成されている。
【００２９】
第２発電部２０における第２発電セル２１は、図２に示すように、第２固体電解質層２３の一方面に第２燃料極層２２と第２空気極層２４とを備えるいわゆる単室型の構造を有している。このように第２発電部２０の燃料電池として単室型の燃料電池を採用することにより、燃料ガスおよび酸化剤ガスのガス供給路を簡素化することが可能になる。第２発電部２０が備える第２発電セル２１を構成する材料については、上述の第１発電部１０が備える第１発電セル１１を構成する材料と同一の材料を用いることができる。
【００３０】
このように構成された燃料電池モジュール１は、次のようにして発電が行われる。第１発電部１０においては、まず、第１セパレータ１５を介して第１空気極層１４側に酸化剤ガス（酸素）が供給され、第１燃料極層１２側に燃料ガス（Ｈ２、ＣＯ、ＣＨ４等）が供給される。第１空気極層１４側に供給された酸素は、第１空気極層１４内の気孔を通って第１固体電解質層１３との界面近傍に到達し、この部分で第１空気極層１４から電子を受け取って酸化物イオン（Ｏ２−）にイオン化される。この酸化物イオンは、第１燃料極層１２に向かって第１固体電解質層１３内を拡散移動し、第１燃料極層１２との界面近傍に到達した酸化物イオンはこの部分で燃料ガスと反応して反応生成物（Ｈ２Ｏ、ＣＯ２等）を生じ、第１燃料極層１２に電子を放出する。このように、第１燃料極層１２と第１空気極層１４との間で、第１固体電解質層１３を介した酸化物イオン伝導が起こり、発電が行われる。この発電により、第１発電セル１１内の内部抵抗等によるジュール熱が発生し、この熱エネルギーが外部に放熱される。また、発電により発生した電流は、第１発電部１０の各第１発電セル１１の積層方法に流れることになる。
【００３１】
なお、第１燃料極層１２に供給された燃料ガスおよび第１空気極層１４に供給された酸化剤ガスの内、発電に使用されなかった残余の燃料ガスおよび酸化剤ガスは、それぞれ第１発電部１０の外周部（第１空気極層１４および第１燃料極層１２の側縁）から外部に放出される。
【００３２】
第２発電部２０においては、まず、第１発電部１０おいて発電に使用されずに、当該第１発電部１０の外周部から放出された残余の燃料ガスと酸化剤ガスとの混合ガスが、第２発電部２０の各第２発電セル２１に供給される。混合ガスは、第２固体電解質層２３間に挟まれる空間２５に導かれ、第２燃料極層２２及び第２空気極層２４と接触する。これにより第２燃料極層２２と第２空気極層２４との間で、第２固体電解質層２３を介した酸化物イオン伝導が起こり、発電が行われる。発電により発生した電流は、第２発電部２０の各第２発電セル２１の積層方法に流れることになる。
【００３３】
ここで、第１発電部１０においては、第１発電セル１１の積層方向における放熱量のアンバランスから、第１発電セル１１の積層方向の中段部において温度が高く、両端部（図２における上端部及び下端部）において温度が低くなるという温度差が生じる。しかしながら、第１発電部１０を取り囲むように複数の第２発電部２０を当該第１発電部１０の周囲に配設しているので、第２発電部２０から放熱される熱により第１発電部１０が加熱される。これにより、第１発電部１０のスタック中に発生していた温度差が緩和され、温度分布の均一化を図ることができる。この結果、各第１発電セル１１におけるセル電圧の不均一が解消され、効率的な発電を行うことができる。
【００３４】
また、燃料電池モジュール１内においては、別途、燃料ガスを水蒸気改質するために用いられる水蒸気発生器や改質器などを備える場合もあり、これらの機器の熱的影響により、燃料電池に温度分布の不均一が発生する場合もあるが、本実施形態のように、第１発電部１０の周囲に複数の第２発電部２０を配置することにより、第２発電部２０から放熱される熱によって、第１発電部１０に対する水蒸気発生器や改質器等の機器からの熱的影響を遮断し、第１発電部１０の温度分布が不均一になることを効果的に防止することが可能になる。
【００３５】
また、各第２発電部における発電量をそれぞれ制御することにより、各第２発電部における発熱量をそれぞれ変更することができるので、第１発電部において発生する局所的な温度分布の不均一を効率よく解消することが可能になる。
【００３６】
特に本実施形態においては、第２発電部２０の第２発電セル２１の積層方向が、第１発電部１０の第１発電セル１１の積層方向と同一となるように構成されている。このような構成においては、第１発電部１０の第１発電セル１１の積層方向に生じている温度分布の均一化をより一層効率的に行うことが可能となる。具体的に説明すると、まず、第１発電部１０において発電を行うと、第１発電部１０から放熱された熱が、第１発電部１０の回りに配置された第２発電部２０を加熱する。第１発電部１０から放熱される熱の分布は、第１発電セル１１の積層方向の中段部が高温で、両端部が中段部よりも低くなっているので、第１発電部１０からの放熱により加熱された第２発電部２０における温度分布は、第２発電セル２１の積層方向の中段部において温度が高く、両端部において温度が低くなるという温度差が生じる。
【００３７】
このような温度差が第２発電セル２１の積層方向に発生することにより、温度の低い第２発電セル２１の積層方向における両端部のセル抵抗は大きくなり、温度の高い第２発電セル２１の積層方向における中段部のセル抵抗は小さくなるというセル抵抗の分布が生じる。ここで、第２発電部２０が有する燃料電池は、複数の第２発電セル２１を積層し、その積層方向に電流が直列に流れるように各第２発電セル２１を電気的に直列に接続して構成されているため、第２発電部２０を発電すると、第２発電セル２１の積層方向に沿って一定の電流が流れる。電流値をＩとし、セル抵抗値をＲとすると、発熱量はＩ２×Ｒとなるので、電流値（Ｉ）が一定であれば、発熱量はセル抵抗値（Ｒ）に比例する。上述のように、第２発電部２０においては、複数の第２発電セル２１の積層方向における両端部のセル抵抗が大きく、積層方向の中段部のセル抵抗が小さいというセル抵抗の分布が生じているため、第２発電セル２１の積層方向における両端部から発熱される発熱量は、積層方向の中段部から発熱される発熱量よりも大きくなる。この結果、第１発電部１０において温度の低い第１発電セル１１の積層方向における両端部が、第２発電部２０における発熱量の大きい第２発電セル２１の積層方向における両端部によって効率よく加熱されて温度が上昇し、第１発電部１０の積層方向に発生している温度差が緩和され、温度分布の均一化をより一層図ることができる。
【００３８】
また、第１発電部１０が有する燃料電池をシールレス構造とすると共に、第２発電部２０が有する燃料電池を単室型構造としているので、第１発電部１０における発電反応に消費されなかった燃料ガスおよび酸化剤ガスの混合ガスを用いて第２発電部２０において発電を行うことができるので、燃料使用率を向上させることができ、より効率的な発電を行うことが可能になる。
【００３９】
以上、本発明に係る燃料電池モジュール１の一実施形態について説明したが、本発明の具体的な構成は、上記実施形態に限定されない。例えば、上記実施形態では、第１発電部１０としていわゆる２室型の燃料電池を採用しているが、単室型の燃料電池を採用することもできる。あるいは、第１発電部１０及び第２発電部２０共に、２室型の燃料電池を採用することもできる。
【００４０】
また、第２発電部２０が備える単室型の第２発電セル２１の構造として、図２に示すように、第２固体電解質層２３の一方面に第２燃料極層２２と第２空気極層２４とを備える構造を採用しているが、このような構造に限定されず、例えば、第２固体電解質層２３の一方面に第２燃料極層２２を配置し、他方面に第２空気極層２４を配置した構造の単室型第２発電セル２１を採用することもできる。
【００４１】
また、本実施形態においては、第２発電部の第２発電セルの積層方向が、第１発電部の第１発電セルの積層方向と同一となるように構成され、各第２発電部２０において発電反応により発生した電流が、第１発電部１０における第１発電セル１１の積層方向と同一の方向に直列に流れるように構成されているが、例えば、図３に示すように、複数の第２発電部２０がそれぞれ有する第２発電セル２１において発電反応により発生した電流が、第１発電部１０の第１発電セル１１の周方向に沿って流れるように、複数の第２発電部２０がそれぞれ有する第２発電セル２１を電気的に直列に接続してもよい。このような構成であっても、第１発電部１０において発生する温度分布の不均一を効果的に解消することができる。
【００４２】
また、本実施形態においては、単一の第１発電部１０の周囲を囲うように複数の第２発電部２０を配設しているが、このような構成に特に限定されず、例えば、複数の第１発電部１０の周囲を囲うように複数の第２発電部２０を配設するようにしてもよい。
【図面の簡単な説明】
【００４３】
【図１】本発明の一実施形態に係る燃料電池モジュールの概略構成を示す平面図である。
【図２】図１におけるＡ−Ａ断面を示す概略構成断面図である。
【図３】図１に示す燃料電池モジュールの変形例を示す概略構成図である。
【図４】従来の燃料電池を示す概略構成斜視図である。
【符号の説明】
【００４４】
１    燃料電池モジュール
１０  第１発電部
１１  第１発電セル
１２  第１燃料極層
１３  第１固体電解質層
１４  第１空気極層
１５  第１セパレータ
２０  第２発電部
２１  第２発電セル
２２  第２燃料極層
２３  第２固体電解質層
２４  第２空気極層
【図１】
2008293689.tif 000003
【図２】
2008293689.tif 000004
【図３】
2008293689.tif 000005
【図４】
2008293689.tif 000006